(57)【要約】【課題】  放送の受信と組み合わせた新規なアラーム動作を実行できる移動体通信端末を提供する。【解決手段】  本移動体通信端末１０は、予め設定したアラーム時刻になったときに所定の動作を実行するアラーム制御手段１３３、放送局４０からの放送を受信する放送受信手段１３１と、放送の内容を出力する出力手段１３１とを備える。アラーム制御手段１３３は、アラーム時刻になったとき、放送受信手段１３１を起動して予め設定したアラーム設定の放送チャネルの放送の受信を開始し、放送を出力するように制御する。アラーム設定の放送チャネルについて受信した放送電波の電界強度が所定の基準値よりも低いときには、アラーム設定の放送チャネル以外の放送チャネルから放送電波の電界強度がより強い放送チャネルを選択してもよい。【選択図】  図４
2007028135.tif 000002
【特許請求の範囲】
【請求項１】
予め設定したアラーム時刻になったときに所定の動作を実行するアラーム制御手段を備えた移動体通信端末であって、
放送局からの放送を受信する放送受信手段と、該放送を出力する出力手段とを備え、
該アラーム制御手段は、該アラーム時刻になったとき、該放送受信手段を起動して予め設定したアラーム設定の放送チャネルの放送の受信を開始し、該放送を出力するように制御することを特徴とする移動体通信端末。
【請求項２】
請求項１の移動体通信端末において、
上記放送受信手段は、複数の放送チャネルを切り換えて放送を受信可能に構成され、
上記アラーム制御手段は、上記予め設定したアラーム設定の放送チャネルについて受信した放送電波の電界強度が所定の基準値以下のときに、該アラーム設定の放送チャネル以外の放送チャネルから放送電波の電界強度がより強い放送チャネルを選択することを特徴とする移動体通信端末。
【請求項３】
請求項２の移動体通信端末において、
該移動体通信端末が位置する位置情報を取得する位置情報取得手段と、
複数の放送局について放送チャネルの情報と該放送局の放送が受信可能な放送地域情報とを関連付けて記憶する放送情報記憶手段とを備え、
上記アラーム制御手段は、上記アラーム設定の放送チャネルについて受信した放送電波の電界強度が所定の基準値以下のときに、該移動体通信端末の位置情報と該放送局の放送地域情報とに基づいて上記放送チャネルの選択を実行することを特徴とする移動体通信端末。
【請求項４】
請求項１、２又は３の移動体通信端末において、
上記アラーム制御手段は、上記アラーム時刻に受信して放送の内容を出力した放送チャネルを次回のアラーム設定の放送チャネルとして設定することを特徴とする移動体通信端末。
【請求項５】
請求項１、２、３又は４の移動体通信端末において、
アラーム音又は楽曲のデータを記憶するデータ記憶手段を備え、
上記アラーム制御手段は、上記アラーム時刻になったとき、上記放送局からの放送の受信及び出力を実行しない場合は該データ記憶手段からアラーム音又は楽曲のデータを読み出して再生することを特徴とする移動体通信端末。
【発明の詳細な説明】
【技術分野】
【０００１】
本発明は、予め設定したアラーム時刻になったときに所定の動作を実行することができる携帯電話機等の移動体通信端末に関するものである。
【背景技術】
【０００２】
この種の移動体通信端末として、予め設定したアラーム時刻になったときにアラーム音や楽曲を出力することができる携帯電話機が知られている。例えば、特許文献１には、シーケンサ制御部がアラーム時刻を検出したときにシーケンサに指令して記憶装置から楽曲のデータ（音符データ）を読み出して再生することにより楽曲をスピーカから出力する移動体通信端末（携帯電話機）が開示されている。
【特許文献１】特開２００４−２５８１８７号公報
【発明の開示】
【発明が解決しようとする課題】
【０００３】
上述のように、従来の移動体通信端末は、アラーム時刻になったときに実行するアラーム動作としては、記憶装置に予め記憶しておいたアラーム音や楽曲のデータを再生してスピーカに出力するものであった。しかしながら、近年の移動体通信端末の多機能化に伴い、上記アラーム音や楽曲の出力に限定されない更に自由度の高いアラーム動作が望まれていた。
【０００４】
本発明は以上の背景の下でなされたものであり、その目的は、放送の受信と組み合わせた新規なアラーム動作を実行できる移動体通信端末を提供することである。
【課題を解決するための手段】
【０００５】
上記目的を達成するために、請求項１の発明は、予め設定したアラーム時刻になったときに所定の動作を実行するアラーム制御手段を備えた移動体通信端末であって、放送局からの放送を受信する放送受信手段と、該放送の内容を出力する出力手段とを備え、該アラーム制御手段は、該アラーム時刻になったとき、該放送受信手段を起動して予め設定したアラーム設定の放送チャネルの放送の受信を開始し、該放送を出力するように制御することを特徴とするものである。
この移動体通信端末では、アラーム時刻とともに、アラーム時に放送受信手段を起動して受信するアラーム設定の放送チャネルを予め設定しておく。そして、アラーム時刻になると、アラーム制御手段により、上記アラーム初期設定の放送チャネルの放送の受信を開始し、その放送を出力するように制御される。このようにアラーム時刻になったときに予め設定した所定の放送チャネルに対応する放送局からの放送を受信して出力することができる。
また、請求項２の発明は、請求項１の移動体通信端末において、上記放送受信手段は、複数の放送チャネルを切り換えて放送を受信可能に構成され、上記アラーム制御手段は、上記予め設定したアラーム設定の放送チャネルについて受信した放送電波の電界強度が所定の基準値よりも低いときに、該アラーム設定の放送チャネル以外の放送チャネルから放送電波の電界強度がより強い放送チャネルを選択することを特徴とするものである。
この移動体通信端末では、アラーム時刻になったときに、上記予め設定したアラーム設定の放送チャネルについて受信した放送電波の電界強度を判定する。ここで、放送電波の電界強度が放送エリアの圏外等の理由で所定の基準値以下のときに、アラーム設定の放送チャネル以外の放送チャネルから放送電波の電界強度がより強い放送チャネルを選択することにより、移動体通信端末で受信可能な放送局が変化する場合でもアラーム時刻における放送の受信・出力によるアラーム動作をより確実に実行することができる。
また、請求項３の発明は、請求項２の移動体通信端末において、該移動体通信端末が位置する位置情報を取得する位置情報取得手段と、複数の放送局について放送チャネルの情報と該放送局の放送が受信可能な放送地域情報とを関連付けて記憶する記憶手段とを備え、上記アラーム制御手段は、上記アラーム設定の放送チャネルについて受信した放送電波の電界強度が所定の基準値以下のときに、該移動体通信端末の位置情報と該放送局の放送地域情報とに基づいて上記放送チャネルの選択を実行することを特徴とするものである。
この移動体通信端末では、複数の放送局について放送チャネルの情報とそれらの放送局の放送が受信可能な放送地域情報とが関連付けられて記憶手段に記憶されている。そして、上記アラーム設定の放送チャネルについて受信した放送電波の電界強度が放送エリアの圏外等の理由で所定の基準値以下のときには、位置情報取得手段で取得した当該移動体通信端末の位置情報を用いて上記記憶手段に記憶されている放送局の放送地域情報を参照する。この移動体通信端末の位置情報と放送局の放送地域情報とに基づいて、その移動体通信端末が位置している地域において所定の基準値よりも強い電界強度で良好に受信することができる放送局の放送チャネルを特定する。このように特定した放送チャネルを選択することにより、移動体通信端末で受信可能な放送局が変化する場合でもアラーム時刻における放送の受信・出力によるアラーム動作を更により確実に実行することができる。
なお、上記放送情報記憶手段を設けずに、移動体通信端末の位置情報に対応した放送局の情報を通信ネットワークを介してサーバから受信して取得し、その取得した放送局の情報に基づいて上記放送チャネルの特定を行ってもよい。
また、請求項４の発明は、請求項１、２又は３の移動体通信端末において、上記アラーム制御手段は、上記アラーム時刻に受信して放送の内容を出力した放送チャネルを次回のアラーム設定の放送チャネルとして設定することを特徴とするものである。
この移動体通信端末では、上記アラーム時刻に受信して放送の内容を出力した放送チャネルを次回のアラーム設定の放送チャネルとして設定する。このように直前のアラーム動作で受信した放送チャネルの放送の受信を開始することにより、次回のアラーム動作において所定の電界強度で放送の受信・出力ができる確率を高めることができる。
また、請求項５の発明は、請求項１、２、３又は４の移動体通信端末において、アラーム音又は楽曲のデータを記憶するデータ記憶手段を備え、上記アラーム制御手段は、上記アラーム時刻になったとき、上記放送局からの放送の受信及び出力を実行しない場合は該データ記憶手段からアラーム音又は楽曲のデータを読み出して再生することを特徴とするものである。
この移動体通信端末では、上記アラーム時刻になったとき、放送局からの放送の受信及び出力を実行しない場合はデータ記憶手段からアラーム音又は楽曲のデータを読み出して再生し、アラーム音又は楽曲を出力手段から出力する。このようにアラーム音又は楽曲に切り換えて出力することにより、アラーム時刻にアラーム動作が全く実行されないという事態を回避できる。
【０００６】
なお、上記「移動体通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division ynchronous Code Division Multiple Access）方式の一つであるＴＤ−ＳＣＤＭＡ（ＭＣ：Multi Carrier）方式の携帯電話機、ＰＨＳ（Personal Handyphone System）などが挙げられる。
また、上記移動体通信端末における処理及び制御は、これらに設けられたコンピュータで所定のプログラムを実行することによって実現することもできる。このコンピュータで用いるプログラムの受け渡しは、デジタル情報としてプログラムを記録したＦＤ、ＣＤ−ＲＯＭ等の記録媒体を用いて行ってもいいし、コンピュータネットワーク等の通信ネットワークを用いて行ってもよい。
【発明の効果】
【０００７】
本発明によれば、アラーム時刻になったときに予め設定した所定の放送チャネルに対応する放送局からの放送を受信して出力するという放送の受信と組み合わせた新規なアラーム動作を実行できるという効果がある。
【発明を実施するための最良の形態】
【０００８】
以下、図面を参照しながら、本発明の実施形態について説明する。
図１は本発明に係る移動体通信端末を用いることができる放送・通信システムの概略構成図である。この放送・通信システムは、移動体通信ネットワークとしての携帯電話通信網２０と、放送情報提供サーバ３０と、ラジオやテレビ等の放送局４０とを用いて構成されている。携帯電話通信網２０は、移動体通信端末としての携帯電話機１０との間で直接無線通信する基地局２１のほか、図示しない交換機、専用線、ルータ、ファイヤーウォール等で構成されている。
【０００９】
放送情報提供サーバ３０は、携帯電話通信網２０を介して携帯電話機１０と通信することができ、携帯電話機１０からの取得要求に応じて、各放送局４０の放送を受信可能な地域である放送エリア５０の情報や放送の番組の情報等の放送関連情報を提供するサーバである。放送情報提供サーバ３０は、図示のように携帯電話通信網２０に接続されるように設けていいし、ゲートウェイを介して携帯電話通信網２０に接続されたインターネット上に設けてもよい。
【００１０】
上記放送局４０はそれぞれ、所定の放送番組スケジュールに基づいて所定の放送チャネル（周波数）でラジオやテレビ等の放送を行うものである。この放送局３０から送信される放送は、デジタル放送及びアナログ放送のいずれであってもよい。
【００１１】
図２は、携帯電話機１０の外観図である。この携帯電話機１０は、ヒンジ部を中心にして互いに揺動可能な蓋部１０１と本体部１０２とを有するクラムシェル（折り畳み）タイプの携帯電話機である。蓋部１０１は、本体部１０２に設けられたキー操作部のキー１０３ａ〜１０３ｅが操作可能な開状態と、キー操作部のキー１０３ａ〜１０３ｅを覆った閉状態とをとり得るようになっている。上記開状態にある蓋部１０１の外壁部を構成するケーシングには、液晶ディスプレイ（ＬＣＤ）１０４、スピーカ１０５等が設けられている。また、上記本体部１０２の外壁部を構成するケーシングには、上記キー操作部を構成するキー１０３ａ〜１０３ｅ、マイク１０６等が設けられている。これらのキー１０３ａ〜１０３ｅ等からなるキー操作部、および液晶ディスプレイ（ＬＣＤ）１０４は、利用者が操作可能な上記開状態にあるケーシングの利用者に対向する側の外壁部に設けられている。これにより、利用者は、上記液晶ディスプレイ１０４の画面を見ながらキー操作部のキー１０３ａ〜１０３ｅを操作することができる。
【００１２】
図３は携帯電話機１０のハードウェア構成の一例を示すブロック図である。携帯電話機１０は、制御部１１１、内部メモリ１１２、通信手段としての無線通信部１１３及びアンテナ１１４を備えている。また、制御部１１１には、音声処理部１１５を介して音入力手段としてのマイク１１６及び音出力手段としてのスピーカ１１７が接続され、画像処理部１１８を介して表示部１１９が接続され、更にキー操作部１２０が接続されている。また、携帯電話機１０は、時計部１２１、ラジオやテレビの放送を受信するチューナー部１２２及び放送受信用のアンテナ１２３を備えている。
【００１３】
上記制御部１１１は、例えばＣＰＵ、キャッシュメモリ、システムバス等で構成され、所定の制御プログラムを実行することにより内部メモリ１１２や無線通信部１１３等の各部との間でデータの送受信を行ったり各部を制御したりする。
上記内部メモリ１１２は、例えばＲＡＭやＲＯＭなどの半導体メモリで構成され、制御部１１１で実行する制御プログラムや各種データを記憶するものである。
上記無線通信部１１４は、制御部１１１で制御され、アンテナ１１４を介して、所定の通信方式により携帯電話通信網２０の基地局２１との間で無線通信を行うものである。この無線通信により、特定の携帯電話機等との間で音声電話通信を行ったり、電子メールの送受信や上記放送情報提供サーバ３０等のサーバとの間でデータ通信を行ったりすることができる。
上記音声処理部１１５は、マイク１１６から入力された送話音声信号を所定方式で符号化して制御部１１１に送る。更に、音声処理部１１５は、各種のデジタル音データを復号化するオーディオデコーダの機能も有している。例えば、音声処理部１１５は、無線通信部１１３で受信した受話音声信号を復号化してスピーカ１１７から出力する。また、音声処理部１１５は、チューナー部１２２で受信して生成された放送の音声のＴＳ（トランスポートストリーム）信号を復号化してスピーカ１１７から出力する。また、音声処理部１１５は、内部メモリ１１２から読み出したアラーム音や楽曲ファイルのデータを再生してスピーカ１１７から出力する。
上記画像処理部１１８は、上記制御部１１１の制御の下、上記放送情報提供サーバ３０から受信した各種の放送関連情報の画像を液晶ディスプレイ（ＬＣＤ）からなる表示部１１９に表示させる。また、画像処理部１１８は、デジタルビデオデータを復号化するビデオデコーダの機能も有し、チューナー部１２２で受信して生成された放送の画像のＴＳ（トランスポートストリーム）信号を復号化して表示部１１９に表示させる。この場合、デジタルビデオデータから複合化して得られた音信号は上記音声処理部１１５に渡される。
上記キー操作部１２０は、データ入力キー（テンキー、＊キー、＃キー）、通話開始キー、終話キー、スクロールキー、多機能キー等を備え、電話の発信や着信のほか、表示部１１９に表示される情報のスクロールや選択等に用いる。このキー操作部１２０は、表示部１１９に表示されているアラーム設定画像でアラーム時刻を設定したり、アラーム動作時に放送を受信して出力する放送局（放送チャネル）を設定したりするときにも用いられる。
【００１４】
上記時計部１２１は、正確な日時を計数し、時刻情報を生成する。この時計部１２１の出力は、上記キー操作部１２０を利用者が操作して入力したアラーム時刻に所定の動作を実行するアラーム制御にも用いられる。
【００１５】
上記チューナー部１２２は、複数の放送チャネルを切り換えて放送を受信可能に構成されている。チューナー部１２２は、各放送局４０から送信される放送電波のうち、主制御部１１から指示された放送チャネル（周波数）の電波をアンテナ１２３を介して選択的に受波し、その放送チャネルの放送を受信する一般的なチューナーとしての機能を有する。このチューナー部１２２で受信した放送の内容はＴＳ（トランスポートストリーム）データ化され、音声処理部１１５や画像処理部１１８に送られる。
【００１６】
図４は、本発明に係る携帯電話機を構成する各手段の関係を示す機能ブロック図である。携帯電話機１０は、図３に示すハードウェア上で所定のプログラムを実行することにより、放送受信手段１３１、出力手段１３２及びアラーム制御手段１３３等の各機能を実現している。
【００１７】
上記放送受信手段１３１は、チューナー部１２２、アンテナ１２３等で構成され、ラジオやテレビ等の放送局４０からの放送を受信し、前述のＴＳデータ化等の処理を行って放送内容を示すデータを生成する。
【００１８】
上記出力手段１３２は、音声処理部１１５、スピーカ１１７、画像処理部１１８、表示部１１９等で構成され、放送受信部１３１で受信した音や画像からなる放送の内容を出力する。
【００１９】
上記アラーム制御部１３３は、制御部１１１や時計部１２１等で構成されている。このアラーム制御部１３３は、予め設定された所定のアラーム時刻になったとき、放送受信手段１３１を起動して予め設定したアラーム設定の放送チャネルの放送の受信を開始し、その放送を出力するように、放送受信手段１３１及び出力手段１３２を制御する。
また、アラーム制御部１３３は、上記予め設定したアラーム設定の放送チャネルについて受信した放送電波の電界強度が所定の基準値以下のときには、上記アラーム設定（初期設定）の放送チャネル以外の放送チャネルから放送電波の電界強度がより強い放送チャネルを選択するように制御する。
【００２０】
図５は、他の構成例に係る携帯電話機１０を構成する各手段の関係を示す機能ブロック図である。この携帯電話機１０は、上記放送受信手段１３１、出力手段１３２及びアラーム制御手段１３３に加え、位置情報取得手段１３４及び放送情報記憶手段１３５の各機能を有する。
【００２１】
上記位置情報取得手段１３４は、制御部１１１、無線通信部１１３等で構成され、携帯電話機１０が位置する位置情報を取得する。この位置情報取得手段１３４は、携帯電話通信網２０側との通信により、携帯電話機１０が在圏する通信管理エリアに関する基地局住所やセルＩＤ等のエリア位置情報を取得する。
【００２２】
なお、携帯電話機１０の位置情報としては、上記エリア位置情報に代えて又はエリア位置情報に加えて、全地球測位システム（ＧＰＳ）の人工衛星から電波を受信し該電波の受信結果に基づいてＧＰＳ位置情報を取得するようにしてもよい。この場合の位置情報取得手段１３４は、制御部１１１、時計部１２１、図示しないＧＰＳ受信部及びそのアンテナ等で構成され、ＧＰＳ衛星から電波を受信し、その電波の受信結果に基づいてＧＰＳ位置情報を取得する。
また、携帯電話機１０の位置情報としては、上記エリア位置情報に代えて又はエリア位置情報に加えて、携帯電話機１０の利用者の通過又は滞在が可能な施設に設置された通信端末装置との間で通信を行うことによりその通信端末装置から施設の位置を特定可能な施設位置情報を取得するようにしてもよい。この場合の位置情報取得手段１３４は、制御部１１１、上記通信端末装置と通信可能な図示しない近距離用無線通信部及びそのアンテナ等で構成され、駅の改札ゲート装置等の通信端末装置との間で通信を行うことにより、その通信端末装置から施設の位置を特定可能な施設位置情報を取得する。
【００２３】
上記放送情報記憶手段１３５は、内部メモリ１１２等で構成され、複数の放送局４０について放送チャネル（例えば周波数又はその識別記号）の情報と、その放送局４０の放送が受信可能な放送地域情報（例えば放送エリア名又はその識別記号）とを関連付け、「放送局データテーブル」として記憶している。
【００２４】
図５の構成におけるアラーム制御手段１３３は、アラーム設定（初期設定）の放送チャネルについて受信した放送電波の電界強度が所定の基準値以下のときに、上記放送局データテーブルを用いて、携帯電話機１０の位置情報と放送局の放送地域情報とに基づき上記アラーム動作に用いる放送チャネルの選択を実行する。
【００２５】
図６は、更に他の構成例に係る携帯電話機１０を構成する各手段の関係を示す機能ブロック図である。この携帯電話機１０は、上記放送受信手段１３１、出力手段１３２及びアラーム制御手段１３３に加え、データ記憶手段１３６の機能を有する。
【００２６】
上記データ記憶手段１３６は、内部メモリ１１２等で構成され、上記放送に代えて出力手段１３２から出力することができるアラーム音又は楽曲のデータを記憶している。上記アラーム音としては、携帯電話機１０の出荷時に初期データとして組み込まれているリングトーンや単一音のデータを用いたり、利用者が独自に設定したアラーム音のデータを用いたりすることができる。上記楽曲のデータとしては、携帯電話機１０の出荷時に初期データとして組み込まれている楽曲のデータを用いたり、利用者がネットワーク上のサーバからダウンロードした着信通知用の音楽や特定の歌手の曲のデータを用いたりすることができる。
【００２７】
この図６の構成におけるアラーム制御手段１３３は、アラーム時刻になったとき、携帯電話機の圏外や放送電波の電界強度が弱い等に理由によって上記放送局４０からの放送の受信及び出力を実行しない場合は、データ記憶手段１３６からアラーム音又は楽曲のデータを読み出して再生する。
【００２８】
図７は、携帯電話機１０における放送の受信によるアラーム動作の一例を示すフローチャートである。このアラーム動作の実行に先立って、利用者は携帯電話機１０を操作することにより、所定アラーム設定画面上で、アラーム時刻、初期設定であるアラーム設定の放送チャネル（以下「放送チャネル１」という。）、出力音量等のアラーム動作用の各種設定を行っておく。
【００２９】
上記アラーム設定を行った後、予め設定したアラーム時刻が到来すると（Ｓ１０１）、携帯電話機１０のチューナー部１２２が起動され（Ｓ１０２）、予め設定した初期設定の放送チャネル１について受信が開始される（Ｓ１０３）。
次に、放送チャネル１について受信された放送電波の電界強度が判定される（Ｓ１０４）。ここで、放送チャネル１について受信された放送電波の電界強度が所定の基準値よりも強い場合は、その放送チャネル１の放送の音がスピーカ１１７から出力される（Ｓ１０５）。テレビ放送の場合は、その放送の画像が表示部１１９に表示される。
一方、放送チャネル１について受信された放送電波の電界強度が所定の基準値以下の場合は、他の放送チャネル（例えば放送チャネル２〜５）がスキャンされ（Ｓ１０６）、それらの放送チャネルから放送電波の電界強度がより強い放送チャネル（例えば放送チャネル５）が選択される（Ｓ１０７）。そして、アラーム動作として、その新たに選択された放送チャネルの放送の受信が開始され、その放送の内容がスピーカ１１７や表示部１１９から出力される（Ｓ１０５）。
以上のように、携帯電話機３０で受信可能な放送局が変化して初期設定の放送チャネルの電界強度が弱かった場合に、他の放送チャネルから電界強度が十分に強い新たな放送チャネルを選択することにより、アラーム時刻における放送の受信・出力によるアラーム動作をより確実に実行することができる。
【００３０】
なお、アラーム動作時に出力した放送の放送チャネルが初期設定の放送チャネル１から変わった場合は、その変わった後の放送チャネル（上記例では放送チャネル５）を次回のアラーム動作時に用いるアラーム設定の放送チャネルとして設定し直しておくのが好ましい。
【００３１】
図８は、携帯電話機１０における放送の受信による他のアラーム動作例を示すフローチャートである。このアラーム動作例では、予め携帯電話機１０に記憶しておいて前述の放送局データテーブルと、携帯電話機１０で取得された位置情報とを用いて、上記新たな放送チャネルを選択している。なお、図８におけるＳ２０１〜Ｓ２０５までの処理は、図７におけるＳ１０１〜Ｓ１０５と同様であるので、それらの説明は省略する。
図８のＳ２０４で示す電界強度の判定において、放送チャネル１について受信された放送電波の電界強度が所定の基準値以下の場合は、携帯電話機１０の現在位置が取得される（Ｓ２０６）。なお、携帯電話機１０の内部メモリ１１２に現在位置のデータが既に保存されている場合は、上記現在位置の取得は、内部メモリ１１２から現在位置のデータを読み出すことで行われる。
次に、前述の放送局データテーブルを用いて、携帯電話機１０の現在位置に基づき、最寄りの放送局の放送チャネルが選択される（Ｓ２０７）。例えば、携帯電話機１０の現在位置が横浜の場合、その横浜で受信可能なＦＭラジオの放送チャネルやテレビの放送チャネルが選択される。
以上のように、携帯電話機３０で受信可能な放送局が変化して初期設定の放送チャネルの電界強度が弱かった場合に、予め記憶しておいた放送局データテーブルと現在位置情報とを用いて最寄りの放送局の放送チャネルを選択することにより、アラーム時刻における放送の受信・出力によるアラーム動作をより確実に実行することができる。
【００３２】
なお、本動作例において、上記最寄りの放送局の放送チャンネル（周波数）は、上記放送局データテーブルを用いずに、前述の放送情報提供サーバ３０から取得して特定するようにしてもよい。例えば、携帯電話機１０の位置情報とともに放送局の情報を要求するリクエストを携帯電話機１０から放送情報提供サーバ３０に送信し、そのリスポンスとして、携帯電話機１０が位置する地域で受信可能な放送チャネルの情報を受信して取得する。
また、本動作例の場合も、アラーム動作時に出力した放送の放送チャネルが初期設定の放送チャネル１から変わった場合は、その変わった後の放送チャネルを次回のアラーム動作時に用いるアラーム設定の放送チャネルとして設定し直しておくのが好ましい。
【００３３】
図９は、携帯電話機１０における放送の受信による更に他のアラーム動作例を示すフローチャートである。このアラーム動作例では、アラーム時刻になったときに受信可能な放送局がないことにより放送局からの放送の受信及び出力を実行しない場合は、予め記憶しておいたアラーム音又は楽曲のデータを読み出して再生している。図９におけるＳ３０１〜Ｓ３０５までの処理は、図７におけるＳ１０１〜Ｓ１０５と同様であるので、それらの説明は省略する。
図９のＳ３０４で示す電界強度の判定において、放送チャネル１について受信された放送電波の電界強度が所定の基準値以下の場合は、他の放送チャネル（例えば放送チャネル２〜５）がスキャンされ（Ｓ３０６）、放送電波の電界強度が強い放送チャネルがあるか否かを調べられる（Ｓ３０７）。ここで、放送電波の電界強度が強い放送チャネルがあった場合は、その放送チャネル（例えば放送チャネル５）が選択される（Ｓ３０８）。そして、アラーム動作として、その新たに選択された放送チャネルの放送の受信が開始され、その放送の内容がスピーカ１１７等から出力される（Ｓ３０５）。
一方、上記放送チャネルのスキャンの結果、放送電波の電界強度が十分に強い放送チャネルがなかった場合は、内部メモリ１１２に予め保存されているアラーム音（リングトーンや単一音）又は楽曲のデータが読み出される（Ｓ３０９）。そして、上記放送出力の代用として、読み出されたアラーム音又は楽曲のデータが再生されてスピーカ１１７等から出力される（Ｓ３１０）。
以上のように、放送局からの放送の受信及び出力を実行しない場合は、内部メモリ１１２に予め記憶しておいたアラーム音又は楽曲を再生して出力することにより、アラーム時刻にアラーム動作が全く実行されないという事態を回避できる。
【００３４】
なお、本動作例の場合も、アラーム動作時に出力した放送の放送チャネルが初期設定の放送チャネル１から変わった場合は、その変わった後の放送チャネルを次回のアラーム動作時に用いるアラーム設定の放送チャネルとして設定し直しておくのが好ましい。
【００３５】
以上、本実施形態によれば、アラーム時刻になったときに予め設定した所定の放送チャネルに対応する放送局からの放送を受信して出力するという放送の受信と組み合わせた新規なアラーム動作を実行できる。
【００３６】
なお、上記実施形態においては、携帯電話機１０を例に挙げて説明したが、本発明は、他の移動体通信端末についても同様に適用できるものである。
【図面の簡単な説明】
【００３７】
【図１】本発明に係る移動体通信端末を用いることができる放送・通信システムの概略構成図。
【図２】携帯電話機の外観図。
【図３】携帯電話機のハードウェア構成の一例を示すブロック図。
【図４】携帯電話機を構成する各手段の関係の一例を示す機能ブロック図。
【図５】携帯電話機を構成する各手段の関係の他の例を示す機能ブロック図。
【図６】携帯電話機を構成する各手段の関係の更に他の例を示す機能ブロック図。
【図７】携帯電話機における放送の受信によるアラーム動作の一例を示すフローチャート。
【図８】携帯電話機における放送の受信による他のアラーム動作例を示すフローチャート。
【図９】携帯電話機における放送の受信による他のアラーム動作例を示すフローチャート。
【符号の説明】
【００３８】
１０    携帯電話機
２０    携帯電話通信網
３０    放送情報提供サーバ
４０    放送局
４１    放送エリア
１３１  放送受信手段
１３２  出力手段
１３３  アラーム制御手段
１３４  位置情取得手段
１３５  放送情報記憶手段
１３６  データ記憶手段
【図１】
2007028135.tif 000003
【図２】
2007028135.tif 000004
【図３】
2007028135.tif 000005
【図４】
2007028135.tif 000006
【図５】
2007028135.tif 000007
【図６】
2007028135.tif 000008
【図７】
2007028135.tif 000009
【図８】
2007028135.tif 000010
【図９】
2007028135.tif 000011